(57)【要約】【課題】電源オフ時の処理を実行すること。【解決手段】実施形態に係る電子機器は、電子装置と通信装置とを含む。電子装置は、制御部と、第１の電力供給部とを具備する。制御部は、商用電源から電子機器への電力供給が停止した場合に、予め決められている所定の処理を実行制御する。第１の電力供給部は、商用電源から供給される電力に基づいて、制御部に電力を供給する。通信装置は、通信部と、第２の電力供給部とを具備する。通信部は、ネットワークと電子装置との間で送受信されるデータを中継する。第２の電力供給部は、商用電源から供給される電力に基づいて、通信部に電力を供給する。【選択図】図２
2014178892.tif 000002
【特許請求の範囲】
【請求項１】
電子装置と通信装置とを含む電子機器であって、
前記電子装置は、
商用電源から前記電子機器への電力供給が停止した場合に、予め決められている所定の処理を実行制御する制御部と；
前記商用電源から供給される電力に基づいて、前記制御部に電力を供給する第１の電力供給部と；
を具備し、
前記通信装置は、
ネットワークと前記電子装置との間で送受信されるデータを中継する通信部と；
前記商用電源から供給される電力に基づいて、前記通信部に電力を供給する第２の電力供給部と；
を具備する電子機器。
【請求項２】
前記通信部は、
前記第１の電力供給部から電力が供給されないように構成されたことを特徴とする請求項１に記載の電子機器。
【請求項３】
前記電子装置は、
前記電子装置の状態に関する状態情報を記憶するとともに、前記第１の電力供給部から電力供給される不揮発性メモリをさらに具備し、
前記制御部は、
前記商用電源から前記電子機器への電力供給が停止したときに、前記電子機器の状態情報を前記不揮発性メモリに記憶させる
ことを特徴とする請求項１または２に記載の電子機器。
【請求項４】
前記制御部は、
前記商用電源から前記電子機器への電力供給が開始した場合に、前記不揮発性メモリに記憶されている状態情報に基づいて、前記電子装置を制御する
ことを特徴とする請求項３に記載の電子機器。
【発明の詳細な説明】
【技術分野】
【０００１】
本発明の実施形態は、電子機器に関する。
【背景技術】
【０００２】
近年、宅内に設置された電化製品などの電子機器を遠隔操作することを可能にするホームネットワークシステムが知られている。このようなホームネットワークシステムでは、ネットワーク経由で電子機器の動作状態や消費電力などが監視され、ネットワーク経由で電子機器に制御信号が送信されることで電子機器の動作状態が制御される。このため、ホームネットワークシステムに対応する電子機器は、ネットワークを介した通信を行う通信機能を有する。例えば、電子機器には、宅内に設置されたアクセスポイント等と通信を行うための通信アダプタが設けられる。
【０００３】
上述した電子機器は、制御状態を記憶しておき、オフ状態からオン状態にしたときに、オフになる前の制御状態を再現するように構成される。また、一般的に通信機能を有する電子機器は通信機能を有しない電子機器と比較して消費電力が大きい。従って、通信機能で消費される電力を考慮した上で電子機器の電源を設計する必要が生じるが、通信の機能が拡張された場合等には、ホームネットワークシステムに対応する電子機器は、電源がオフにされた場合に、電源オフ時に実行すべき処理を完了させることができるとは限らない。さらに、後々の通信機能の拡張に備えて、通信機能を電子機器に対して後付で設置可能とする構成を考えた場合には、通信機能を有しない電子機器として使用する場合であっても、過剰なスペックの電源を用意する必要があり、コストアップにつながる。この点について、電子機器が照明装置である場合を例に挙げて説明する。例えば、近年の照明装置は、ユーザ操作に従って照明光の照度や色を調整する機能を有する場合がある。また、この種の照明装置は、電源オフ時に現状の照度及び色を記憶しておき、電源オン時に直前の照度及び色を復元して照明する機能を有する場合がある。しかし、このような復元機能を有する照明装置をホームネットワークシステムに適用した場合には、電源オフ時に通信機能にも電力が消費されることから、照度及び色を記憶しておく処理が完了しないことがあり、結果として、照明光の照度及び色を復元することができない場合がある。
【先行技術文献】
【特許文献】
【０００４】
【特許文献１】特開２０１２−１７５１４８号公報
【発明の概要】
【発明が解決しようとする課題】
【０００５】
本発明が解決しようとする課題は、電源オフ時の処理を実行することができる電子機器を提供することである。
【課題を解決するための手段】
【０００６】
実施形態に係る電子機器は、電子装置と通信装置とを含む。電子装置は、制御部と、第１の電力供給部とを具備する。制御部は、商用電源から前記電子機器への電力供給が停止した場合に、予め決められている所定の処理を実行制御する。第１の電力供給部は、前記商用電源から供給される電力に基づいて、前記制御部に電力を供給する。通信装置は、通信部と、第２の電力供給部とを具備する。通信部は、ネットワークと前記電子装置との間で送受信されるデータを中継する。第２の電力供給部は、前記商用電源から供給される電力に基づいて、前記通信部に電力を供給する。
【図面の簡単な説明】
【０００７】
【図１】図１は、実施形態に係る家電機器制御システムの構成例を示す図である。
【図２】図２は、実施形態に係る電子機器の構成例を模式的に示す図である。
【図３】図３は、実施形態に係る照明装置が有する制御部の構成例を示す図である。
【図４】図４は、実施形態に係る電源回路から供給される電力の時間変動例を示す図である。
【図５】図５は、実施形態に係る家電機器制御システムによる処理手順を示すフローチャートである。
【発明を実施するための形態】
【０００８】
以下で説明する実施形態に係る電子機器１００は、電子装置である照明装置１１０と、通信装置である通信アダプタ１２０とを含む。照明装置１１０は、制御部１１７と、電源回路１１１とを具備する。制御部１１７は、商用電源４１から電子機器１００への電力供給が停止した場合に、予め決められている所定の処理を実行制御する。電源回路１１１は、商用電源４１から供給される電力に基づいて、制御部１１７に電力を供給する。通信アダプタ１２０は、無線通信回路１２２と、通信回路１２３とを具備する。無線通信回路１２２及び通信回路１２３は、ネットワークと照明装置１１０との間で送受信されるデータを中継する。制御部１２４は、商用電源４１から供給される電力に基づいて、無線通信回路１２２及び通信回路１２３に電力を供給する。
【０００９】
また、以下で説明する実施形態に係る無線通信回路１２２及び通信回路１２３は、電源回路１１１から電力が供給されないように構成される。
【００１０】
また、以下で説明する実施形態に係る照明装置１１０は、揮発性メモリであるＲＡＭ（Random  Access  Memory）１１４と、不揮発性メモリ１１５とを具備する。ＲＡＭ１１４は、照明装置１１０の状態に関する状態情報を記憶する。また、制御部１１７は、商用電源４１から電子機器１００への電力供給が停止した場合に、ＲＡＭ１１４に記憶されている状態情報を不揮発性メモリ１１５に退避させる。また、電源回路１１１は、ＲＡＭ１１４、不揮発性メモリ１１５、及び、制御部１１７に電力を供給する。
【００１１】
また、以下で説明する実施形態に係る制御部１１７は、商用電源４１から電子機器１００への電力供給が開始した場合に、不揮発性メモリ１１５に記憶されている状態情報に基づいて、照明装置１１０を制御する。
【００１２】
以下、図面を参照して、実施形態に係る電子機器を説明する。実施形態において同一の部位には同一の符号を付し、重複する説明は省略される。なお、以下の実施形態で説明する電子機器は、一例を示すに過ぎない。例えば、以下の実施形態では、電子機器が照明器具であるものとして説明するが、これに限らず、電子機器は、空調装置、洗濯機、給湯器、電気錠、インターホン（ドアホン）などの生活家電、テレビジョンセット、テレビジョン録画機などのオーディオ・ビジュアル機器などであってもよい。また、電子機器は、ゲーム機などのアミューズメント家電、パーソナルコンピュータなどの情報家電、太陽光発電関連機器などであってもよい。すなわち、電子機器は、広く家庭電化製品一般であってもよい。
【００１３】
［家電機器制御システムの構成］
図１は、実施形態に係る家電機器制御システム１の構成例を示す図である。図１に示した家電機器制御システム１は、例えば、宅内に設置されている家電等の制御や監視を実現するシステムであり、ＨＥＭＳ（Home  Energy  Management  System）などと呼ばれる。かかる家電機器制御システム１は、例えば、ＨＥＭＳ標準プロトコルの「ＥＣＨＯＮＥＴ」や「ＥＣＨＯＮＥＴ  Ｌｉｔｅ」が適用される。
【００１４】
図１に示すように、家電機器制御システム１には、ホームネットワークシステム２と、ユーザ端末３と、管理サーバ４とが含まれる。ホームネットワークシステム２、ユーザ端末３及び管理サーバ４は、ネットワーク５を介して、有線又は無線により通信可能に接続される。かかるネットワーク５は、例えば、インターネットやイントラネットに該当する。なお、図１に示すホームネットワークシステム２、ユーザ端末３、管理サーバ４の数は、一例に過ぎず、家電機器制御システム１の構成に応じて適宜変更可能である。
【００１５】
ホームネットワークシステム２は、例えばユーザ宅内や店舗内などに構築され、ゲートウェイ装置１０、ユーザ端末２０、アクセスポイント３０、電子機器１００１〜１００３などを有する。なお、図１に示す電子機器１００１〜１００３の数は、一例に過ぎず、ホームネットワークシステム２の構成に応じて適宜変更可能である。
【００１６】
ゲートウェイ装置１０は、アクセスポイント３０と接続され、ホームネットワークシステム２を外部のネットワーク５に接続する通信機器である。図１の例では、ゲートウェイ装置１０は、ホームネットワークシステム２内のアクセスポイント３０と、ホームネットワークシステム２外のユーザ端末３や管理サーバ４とをネットワーク５を介して接続する。
【００１７】
ユーザ端末２０は、例えば、タブレット端末、ＰＣ（Personal  Computer）、携帯電話機、ＰＤＡ（Personal  Data  Assistance）などであり、無線ＬＡＮ（Local  Area  Network）や有線ＬＡＮなどを介してアクセスポイント３０に接続される。かかるユーザ端末２０は、ユーザ操作に従って電子機器１００１〜１００３に対する制御命令をアクセスポイント３０に送信したり、アクセスポイント３０から受信した電子機器１００１〜１００３に関する各種情報を表示したりする。
【００１８】
アクセスポイント３０は、Ｂｌｕｅｔｏｏｔｈ（登録商標）などの近距離無線技術や宅内ＬＡＮを用いて、ゲートウェイ装置１０やユーザ端末２０や電子機器１００１〜１００３と通信を行う。かかるアクセスポイント３０は、ユーザ端末２０から入力された各種制御命令を電子機器１００１〜１００３に送信したり、電子機器１００１〜１００３から受信した各種情報をユーザ端末２０に送信したりする。なお、アクセスポイント３０は、ゲートウェイ装置１０と一体となって形成されてもよい。
【００１９】
電子機器１００１〜１００３は、例えばユーザ宅内の天井などに設けられる照明器具である。電子機器１００１は、電子装置である照明装置１１０１と、通信装置である通信アダプタ１２０１とを具備する。かかる電子機器１００１は、照明装置１１０１に通信アダプタ１２０１が取り付けられることで形成される。同様に、電子機器１００２は、照明装置１１０２に通信アダプタ１２０２が取り付けられ、電子機器１００３は、照明装置１１０３に通信アダプタ１２０３が取り付けられる。
【００２０】
なお、以下では、電子機器１００１〜１００３を区別する必要がない場合には、単に「電子機器１００」と表記する場合がある。また、照明装置１１０１〜１１０３を区別する必要がない場合には、単に「照明装置１１０」と表記する場合がある。また、通信アダプタ１２０１〜１２０３を区別する必要がない場合には、単に「通信アダプタ１２０」と表記する場合がある。
【００２１】
照明装置１１０は、ユーザ操作に従って照明光の照度や色が調整可能な機能を有する。また、照明装置１１０は、電源オフ時に現状の照度及び色を記憶しておき、電源オン時に直前の照度及び色を復元して照明する機能を有する。また、照明装置１１０は、通信アダプタ１２０を介して制御命令を受信すると、制御命令に従って所定の処理を実行する。例えば、制御命令が「照明装置をオンする」である場合、照明装置１１０は、自装置である照明装置１１０の電源をオンにする。また、制御命令が「照明装置の照度を８０％に設定する」である場合、照明装置１１０は、自装置の光源が発する光の照度を８０％に設定する。そして、照明装置１１０は、各種処理の実行結果を応答として、通信アダプタ１２０経由でアクセスポイント３０に送信する。
【００２２】
通信アダプタ１２０は、照明装置１１０とアクセスポイント３０との間で送受信される制御命令や応答を中継する。かかる通信アダプタ１２０は、ホームネットワークシステム２の施工業者やユーザによって照明装置１１０に取り付けられる。
【００２３】
このように、ホームネットワークシステム２を利用するユーザは、ユーザ端末２０を用いることで、アクセスポイント３０を介して電子機器１００を制御することができる。例えば、ユーザ端末２０が携帯電話機である場合、ユーザは、宅内で携帯電話機を操作するだけで、電子機器１００の動作を制御したり、電子機器１００の動作状況を監視したりすることができる。
【００２４】
また、図１において、ホームネットワークシステム２の外部に示したユーザ端末３は、例えば、携帯電話機、ＰＤＡ、タブレット端末、ＰＣなどであり、無線ＬＡＮや有線ＬＡＮなどを介してネットワーク５に接続される。かかるユーザ端末３は、ユーザ端末２０と同様に、ユーザ操作に従って電子機器１００に対する制御命令を管理サーバ４に送信したり、管理サーバ４から受信した電子機器１００に関する各種情報を表示したりする。
【００２５】
管理サーバ４は、ネットワーク５を介してユーザ端末３から受信した各種制御命令をアクセスポイント３０に送信する。これにより、アクセスポイント３０は、ホームネットワークシステム２の外部に位置するユーザ端末３から送信された制御命令を電子機器１００に送信する。また、管理サーバ４は、ネットワーク５を介してアクセスポイント３０から受信した電子機器１００に関する各種情報をユーザ端末３に送信する。これにより、ユーザ端末３は、ホームネットワークシステム２内に設置されている電子機器１００に関する各種情報を表示する。このように、ユーザ端末３のユーザは、ホームネットワークシステム２内に所在しない場合であっても、電子機器１００を制御することや、電子機器１００の動作状況を監視したりすることができる。
【００２６】
このような家電機器制御システム１では、電子機器１００に専用の電源回路が設けられるとともに、通信アダプタ１２０にも専用の電源回路が設けられることで、電源オフ時に電子機器１００が実行すべき処理を完了させることを可能にする。以下、実施形態に係る電子機器１００について詳細に説明する。
【００２７】
［電子機器の構成］
図２は、実施形態に係る電子機器１００の構成例を模式的に示す図である。図２に示すように、電子機器１００は、商用電源４１と接続させる。また、電子機器１００と商用電源４１との間には、スイッチ４２が設けられる。商用電源４１は、例えば、電力会社等によって管理されており、一般家庭に電力を供給する。スイッチ４２は、宅内の壁などに設けられ、商用電源４１からの電力を電子機器１００に供給するか否かを切り替える。
【００２８】
例えば、ユーザによってスイッチ４２をオンにする操作が行われた場合、商用電源４１から電子機器１００に電力が供給される。これにより、電子機器１００内の照明装置１１０は点灯する。一方、ユーザによってスイッチ４２をオフにする操作が行われた場合、商用電源４１から電子機器１００への電力供給が停止する。これにより、電子機器１００内の照明装置１１０は消灯する。
【００２９】
また、図２に示すように、電子機器１００の照明装置１１０は、電源回路１１１と、照明部１１２と、通信回路１１３と、ＲＡＭ１１４と、不揮発性メモリ１１５と、電源監視回路１１６と、制御部１１７とを有する。なお、図２では図示しないが、照明装置１１０は、リモートコントローラから送信される信号を受信する受信機を有してもよい。かかる受信機は、例えば、照明装置１１０における照明光の照度や色を変更することを示す信号を受信する。
【００３０】
電源回路１１１は、商用電源４１から供給される電力から照明装置１１０の動作に要する電力を生成し、生成した電力を照明装置１１０内の各部（照明部１１２、通信回路１１３、ＲＡＭ１１４、不揮発性メモリ１１５、電源監視回路１１６、制御部１１７）に供給する電力供給部である。照明部１１２は、ＬＥＤ（Light  Emitting  Diode）や電球等であり、室内等を照明する。通信回路１１３は、通信アダプタ１２０（後述する通信回路１２３）と接続され、通信アダプタ１２０との間で通信を行う。
【００３１】
ＲＡＭ１１４は、揮発性の記憶装置であり、例えば、照明装置１１０の状態に関する状態情報などを記憶する。すなわち、ＲＡＭ１１４は、電源回路１１１から電力が供給されている場合には状態情報を記憶することができるが、電力供給が停止した場合には記憶している状態情報を消失する。なお、実施形態に係るＲＡＭ１１４は、状態情報の一例として、照明部１１２によって照明される光の照度及び色に関する照明設定情報を記憶するものとする。
【００３２】
不揮発性メモリ１１５は、不揮発性の記憶装置であり、各種情報を記憶する。すなわち、不揮発性メモリ１１５は、電源回路１１１から電力が供給されているか否かにかかわらず、各種情報を記憶することができる。なお、後述するように、不揮発性メモリ１１５は、退避部１１９によってＲＡＭ１１４に記憶されている照明設定情報が格納される。
【００３３】
電源監視回路１１６は、スイッチ４２がオン又はオフであるかを監視する。言い換えれば、電源監視回路１１６は、商用電源４１から照明装置１１０へ電力が供給されているか否かを監視する。そして、電源監視回路１１６は、スイッチ４２がオンからオフになったことを検知した場合や、スイッチ４２がオフからオンになったことを検知した場合に、検知結果を制御部１１７に通知する。
【００３４】
制御部１１７は、照明装置１１０全体を制御する。例えば、制御部１１７は、ＣＰＵ（Central  Processing  Unit）によって実現される。そして、制御部１１７は、ＲＡＭ１１４を作業領域として、照明装置１１０内部の記憶装置（例えば、不揮発性メモリ１１５やＲＯＭ（Read  Only  Memory））に記憶されているプログラムを実行することにより、照明装置１１０全体を制御する。なお、図２では、制御部１１７がＣＰＵによって実現される例を示したが、制御部１１７は、例えば、ＭＰＵ（Micro  Processing  Unit）等に実現されてもよいし、ＡＳＩＣ（Application  Specific  Integrated  Circuit）やＦＰＧＡ（Field  Programmable  Gate  Array）等の集積回路により実現されてもよい。
【００３５】
ここで、実施形態に係る制御部１１７は、商用電源４１から電子機器１００への電力供給が停止した場合に、予め決められている所定の処理を実行制御する。具体的には、制御部１１７は、スイッチ４２がオフになった場合に、照明光の照度及び色に関する照明設定情報をＲＡＭ１１４から不揮発性メモリ１１５に退避させる。これにより、制御部１１７は、その後にスイッチ４２がオンになった場合に、スイッチ４２がオフになる前の照度及び色を復元して照明部１１２を照明させる。
【００３６】
この点について、図３を用いて説明する。図３は、実施形態に係る照明装置１１０が有する制御部１１７の構成例を示す図である。図３に示すように、制御部１１７は、照明制御部１１８と、退避部１１９とを有する。
【００３７】
照明制御部１１８は、照明部１１２を制御する。具体的には、照明制御部１１８は、電源監視回路１１６からスイッチ４２がオンになったことを通知された場合に、不揮発性メモリ１１５から照明設定情報を読み出し、読み出した照明設定情報が示す照度及び色によって照明部１１２を照明させる。
【００３８】
また、照明制御部１１８は、ユーザによって照明部１１２における照明光の照度や色を変更する操作が行われた場合に、変更後の照度や色によって照明部１１２を照明させる。このとき、照明制御部１１８は、変更後の照度や色を示す照明設定情報をＲＡＭ１１４に書き込む。すなわち、照明制御部１１８は、現時点で照明部１１２によって照明されている光の照度や色に関する照明設定情報をＲＡＭ１１４に保持しておく。
【００３９】
退避部１１９は、電源監視回路１１６からスイッチ４２がオフになったことを通知された場合に、ＲＡＭ１１４に格納されている照明設定情報を不揮発性メモリ１１５に退避させる。具体的には、スイッチ４２がオフになった場合、商用電源４１から照明装置１１０への電力供給は停止する。しかし、スイッチ４２がオフになった瞬間に商用電源４１からの供給電力が停止した場合であっても、電源回路１１１からは所定時間だけ制御部１１７等の各部に電力が供給される。そこで、退避部１１９は、スイッチ４２がオフになった場合に、電源回路１１１から電力が供給される所定時間に、照明設定情報の退避処理を行う。このとき、退避部１１９は、不揮発性メモリ１１５に照明設定情報が既に格納されている場合には、ＲＡＭ１１４に格納されている照明設定情報により上書きする。これにより、退避部１１９は、電源回路１１１からの電力供給が停止した際に消失するＲＡＭ１１４内の照明設定情報を不揮発性メモリ１１５に退避させておくことができる。このように、電源回路１１１がオフになったときに、不揮発性メモリ１１５へ制御状態を記憶させるので、制御状態を逐次記憶させる必要がなく、制御時に制御を複雑化させることがない。つまり、制御時には不揮発性メモリ１１５へ記憶させる必要がないため、電源および制御を照明制御のために使用することができる。さらに、最終的な制御状態を確実に記憶させることができる。
【００４０】
図２の説明に戻って、電子機器１００の通信アダプタ１２０は、上記の通り、照明装置１１０とアクセスポイント３０との間で送受信される制御命令や応答を中継する。かかる通信アダプタ１２０は、図２に示すように、電源回路１２１と、無線通信回路１２２と、通信回路１２３と、制御部１２４とを有する。
【００４１】
電源回路１２１は、商用電源４１から供給される電力から通信アダプタ１２０の動作に要する電力を生成し、生成した電力を通信アダプタ１２０内の各部（無線通信回路１２２、通信回路１２３、制御部１２４）に供給する電力供給部である。無線通信回路１２２は、アクセスポイント３０との間でＢｌｕｅｔｏｏｔｈ（登録商標）などの近距離無線通信を行う。通信回路１２３は、照明装置１１０の通信回路１１３と接続され、照明装置１１０との間で通信を行う。このような無線通信回路１２２及び通信回路１２３は、アクセスポイント３０等を含むネットワークと、照明装置１１０との間で送受信されるデータを中継する通信部として機能する。また、図２に示すように、実施形態に係る通信アダプタ１２０は、照明装置１１０に設けられた電源回路１１１から無線通信回路１２２及び通信回路１２３に電力が供給されないように構成される。
【００４２】
なお、図１に示した電子機器１００３のように、通信アダプタ１２０は、アクセスポイントと有線接続される場合もある。この場合、通信アダプタ１２０は、無線通信回路１２２の代わりに、アクセスポイントと有線通信を行う有線通信回路を具備する。
【００４３】
制御部１２４は、通信アダプタ１２０全体を制御する。具体的には、制御部１２４は、制御命令や応答の中継処理などを行う。かかる制御部１２４は、例えば、ＣＰＵによって実現される。そして、制御部１２４は、図示しないＲＡＭ等を作業領域として、通信アダプタ１２０内部のＲＯＭ等に記憶されているプログラムを実行することにより、通信アダプタ１２０全体を制御する。なお、図２では、制御部１２４がＣＰＵによって実現される例を示したが、制御部１２４は、例えば、ＭＰＵ等に実現されてもよいし、ＡＳＩＣやＦＰＧＡ等の集積回路により実現されてもよい。
【００４４】
上記の通り、実施形態に係る電子機器１００では、照明装置１１０に電源回路１１１が設けられるとともに、通信アダプタ１２０にも電源回路１２１が設けられる。このため、実施形態に係る電子機器１００では、スイッチ４２がオフになった場合であっても、電源回路１１１から供給される電力が通信アダプタ１２０に消費されないので、退避部１１９に十分な電力が供給され、結果として、退避部１１９による退避処理が完了しないといった事態になることを防止できる。
【００４５】
この点について図４を用いて説明する。図４は、実施形態に係る電源回路１１１から供給される電力の時間変動例を示す図である。なお、図４に一点鎖線で示した電力変動Ｗ１０は、通信アダプタ１２０に電源回路１２１が設けられない場合における電源回路１１１の供給電力例を示す。また、図４に実線で示した電力変動Ｗ２０は、実施形態に係る電源回路１１１の供給電力例を示す。
【００４６】
まず、通信アダプタ１２０に電源回路１２１が設けられない場合について説明する。この場合、通信アダプタ１２０内部の無線通信回路１２２、通信回路１２３及び制御部１２４は、照明装置１１０に設けられた電源回路１１１に接続され、電源回路１１１から供給される電力によって動作する。すなわち、通信アダプタ１２０に電源回路１２１が設けられない場合、電源回路１１１は、照明装置１１０内の各部（制御部１１７等）に加えて、通信アダプタ１２０内の各部（制御部１２４等）に対しても電力を供給することになる。
【００４７】
このため、図４の電力変動Ｗ１０に示すように、スイッチ４２がオフになることで商用電源４１からの供給電力が停止した場合には、電源回路１１１から供給される電力は、通信アダプタ１２０にも消費されることから急激に低下する。このことは、上述した制御部１１７の退避部１１９による退避処理が完了する前に、電源回路１１１から制御部１１７への電力供給が停止する事態を招く可能性がある。このような事態が発生した場合には、不揮発性メモリ１１５に照明設定情報が退避されないこととなるので、照明制御部１１８は、照度及び色を復元して照明部１１２を照明させることができない。このように、ホームネットワークシステムに対応する一般的な電子機器は、通信機能を有するので、電源がオフにされた場合に、電源オフ時に実行すべき処理を完了させることができるとは限らなかった。
【００４８】
一方、実施形態に係る通信アダプタ１２０には、専用の電源回路１２１が設けられる。この場合、電源回路１１１は、通信アダプタ１２０内の各部（制御部１２４等）に電力を供給することはなく、照明装置１１０内の各部（制御部１１７等）のみに電力を供給する。このため、図４の電力変動Ｗ２０に示すように、スイッチ４２がオフになることで商用電源４１からの供給電力が停止した場合には、電源回路１１１から供給される電力は、通信アダプタ１２０に消費されないことから、電力変動Ｗ１０よりも緩やかに低下する。すなわち、実施形態に係る電子機器１００では、制御部１１７の退避部１１９による退避処理が完了する前に、電源回路１１１から制御部１１７への電力供給が停止する事態を防止できる。この結果、実施形態に係る照明制御部１１８は、照度及び色を復元して照明部１１２を照明させることができる。また、本実施形態では、通信アダプタ１２０を照明装置１１０に対して後付で構成されるようにしてもよい。この場合には、通信アダプタ１２０の消費電力によらず、照明装置１１０の電源を最適化することができる。つまり、照明装置１１０に通信アダプタ１２０を取付けていない場合も、後付で取付けた場合も安定的に動作させることができる。このため、照明装置１１０への電力供給をオフにしたときに確実に制御状態を記憶されることができる。
【００４９】
［家電機器制御システムの処理手順］
次に、図５を用いて、家電機器制御システム１による処理の手順について説明する。図５は、実施形態に係る家電機器制御システム１による処理手順を示すフローチャートである。なお、図５の例では、電子機器１００の初期状態が電源オフであるものとする。
【００５０】
図５に示すように、照明装置１１０の電源監視回路１１６は、スイッチ４２がオンになった否かを監視する（ステップＳ１０１）。そして、電源監視回路１１６は、スイッチ４２がオンになったことを検知しない場合には（ステップＳ１０１Ｎｏ）、スイッチ４２がオンになるまで監視する。
【００５１】
一方、スイッチ４２がオンになったことを電源監視回路１１６が検知した場合には（ステップＳ１０１Ｙｅｓ）、照明制御部１１８は、不揮発性メモリ１１５から照明設定情報を読み出す（ステップＳ１０２）。そして、照明制御部１１８は、不揮発性メモリ１１５から読み出した照明設定情報が示す照度及び色によって照明部１１２を照明させる（ステップＳ１０３）。
【００５２】
続いて、照明制御部１１８は、照明設定情報の変更操作を受け付けたか否かを判定する（ステップＳ１０４）。例えば、照明制御部１１８は、リモートコントローラ等を用いてユーザにより照度や色の変更操作が行われたか否かを判定する。そして、照明制御部１１８は、照明設定情報の変更操作を受け付けた場合には（ステップＳ１０４Ｙｅｓ）、変更後の照明設定情報が示す照度及び色によって照明部１１２を照明させる（ステップＳ１０５）。また、照明制御部１１８は、変更後の照明設定情報をＲＡＭ１１４に書き込む（ステップＳ１０６）。なお、照明制御部１１８は、照明設定情報の変更操作を受け付けない場合には（ステップＳ１０４Ｎｏ）、ステップＳ１０５及びＳ１０６における処理を行わない。
【００５３】
続いて、電源監視回路１１６は、スイッチ４２がオフになった否かを監視する（ステップＳ１０７）。そして、スイッチ４２がオフになったことを電源監視回路１１６が検知した場合には（ステップＳ１０７Ｙｅｓ）、退避部１１９は、ＲＡＭ１１４に格納されている照明設定情報を不揮発性メモリ１１５に退避させる（ステップＳ１０８）。そして、所定の時間が経過した場合に、電源回路１１１からの電力供給が停止するので、照明部１１２は消灯する。
【００５４】
なお、スイッチ４２がオフになったことを電源監視回路１１６が検知しない間（ステップＳ１０７Ｎｏ）、電子機器１００は、ステップＳ１０４〜Ｓ１０７における処理を繰り返し行う。
【００５５】
［他の実施形態］
上記実施形態では、電子機器１００として、照明器具を例に挙げて説明した。しかし、この例に限られず、電子機器１００は、空調装置、給湯器、テレビジョンセットなどであってもよい。例えば、電子機器１００が空調装置や給湯器である場合、電子機器１００は、電源オフ時に設定温度等の状態情報をＲＡＭ１１４から不揮発性メモリ１１５に退避させる。また、例えば、電子機器１００がテレビジョンセットである場合、電子機器１００は、電源オフ時に設定チャンネル等の状態情報をＲＡＭ１１４から不揮発性メモリ１１５に退避させる。すなわち、実施形態に係る電子機器１００は、空調装置等である場合であっても、通信アダプタ１２０に専用の電源回路１２１が設けられるので、電源オフ時に各種状態情報の退避処理を完了させることができる。なお、電源を投入したときに状態を再現するための状態記憶プロセスは電源オフ時のみ行うことが好ましい。これによって、通常の制御における状態情報の記憶以外の記憶プロセスを削減し、通常の制御への負担を軽減させることができる。
【００５６】
以上説明したとおり、上記実施形態によれば、電源オフ時の処理を実行することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１  家電機器制御システム
２  ホームネットワークシステム
４１  商用電源
４２  スイッチ
１００  電子機器
１１０  照明装置
１１１  電源回路
１１２  照明部
１１３  通信回路
１１４  ＲＡＭ
１１５  不揮発性メモリ
１１６  電源監視回路
１１７  制御部
１１８  照明制御部
１１９  退避部
１２０  通信アダプタ
１２１  電源回路
１２２  無線通信回路
１２３  通信回路
１２４  制御部
【図１】
2014178892.tif 000003
【図２】
2014178892.tif 000004
【図３】
2014178892.tif 000005
【図４】
2014178892.tif 000006
【図５】
2014178892.tif 000007